(57)【要約】【課題】カメラや、ビデオムービーで撮影した映像がどのような状況で撮影されたものか、わからなくなることがある。【解決手段】映像記録装置に位置情報を取得する位置情報取得部を設け、撮影時の位置情報とその撮影により得られた映像情報とを関連付けて記録することとした。また、補助情報取得部を設け、映像撮影の際の種々の状況をその映像情報と関連付けて記録できるようにした。これらの補助情報を映像記録装置が外部から通信などを利用して取得できるようにした。【選択図】図１
2005051278.tif 000002
【特許請求の範囲】
【請求項１】
映像を撮影する映像撮影部と、
位置情報を取得する位置情報取得部と、
前記映像撮影部で撮影された映像の情報である映像情報と前記位置情報取得部で取得した位置情報を対応付けて記録する映像記録部とを具備する映像記録装置。
【請求項２】
補助情報を取得する外部補助情報取得部をさらに有する請求項１記載の映像記録装置。
【請求項３】
前記映像記録部で記録した映像情報とこの映像情報と対応付けられた位置情報とを有する位置情報付加映像情報を送信する映像情報送信部をさらに具備する請求項１記載の映像記録装置。
【請求項４】
位置情報と補助情報を対に管理する補助情報管理部と、
前記位置情報取得部で取得した位置情報と対になる補助情報を前記補助情報管理部から取得する補助情報取得部とをさらに具備し、
前記映像記録部は、前記映像撮影部で撮影した映像の情報である映像情報と前記補助情報取得部で取得した補助情報を対応付けて記録することを特徴とする請求項１記載の映像記録装置。
【請求項５】
請求項３記載の映像記録装置から位置情報付加映像情報を受信して処理する映像情報処理装置であって、
前記位置情報付加映像情報を受信する映像情報受信部と、
位置情報と補助情報を対に管理する補助情報管理部と、
前記映像情報受信部が受信した位置情報付加映像情報が有する位置情報と対になる補助情報を前記補助情報管理部から取得する補助情報取得部と、
前記映像情報受信部が受信した位置情報付加映像情報が有する映像情報と前記補助情報取得部が取得した補助情報を対応付けて記録する映像記録部とを具備する映像情報処理装置。
【請求項６】
前記映像記録部が記録した映像と補助情報を出力する映像情報出力部をさらに具備する請求項５記載の映像情報処理装置。
【請求項７】
補助情報の取得要求があったか判断するステップと、
補助情報の取得の要求があったと判断された場合に、位置情報を取得するステップと、
前記ステップにて取得した位置情報に対応した補助情報があるか判断するステップと、
前記位置情報に対応した補助情報がある場合には対応する補助情報を取得し、ない場合には外部から通信にて位置情報に対応した補助情報を取得するステップと、
補助情報を映像記録部に渡すステップと、をコンピュータに実行させるためのプログラム。
【請求項８】
位置情報を取得するステップと、
取得した位置情報と対になる補助情報を取得するステップと、
前記映像記録部は、前記映像撮影部で撮影した映像の情報である映像情報と前記補助情報取得部で取得した補助情報を対応付けて記録するステップとをコンピュータに実行させるためのプログラム。
【請求項９】
前記位置情報付加映像情報を受信するステップと、
前記位置情報付加映像情報が有する位置情報と対になる補助情報を取得するステップと、
位置情報付加映像情報が有する映像情報と前記補助情報を対応付けて記録するステップとをコンピュータに実行させるためのプログラム。
【請求項１０】
位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記位置情報と前記補助情報とを対応付けて記録する記録部と、を有する電子機器。
【請求項１１】
映像情報を取得する映像情報取得部と、
前記映像情報取得部で取得した映像情報に対応付けられた位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記映像情報と、前記位置情報と、前記補助情報とを対応付けて記録する記録部と、
前記映像情報と、前記位置情報と、前記補助情報とを編集する編集部と、を有する画像編集装置。
【請求項１２】
時刻情報を取得する時刻取得部と、
位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記時刻情報と、前記位置情報と、前記補助情報とを対応付けて記録する記録部と、を有する携帯可能な時計。
【請求項１３】
位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記位置情報と前記補助情報とを対応付けて記録する記録部と、を有する携帯電話。
【請求項１４】
音声情報を取得する音声情報取得部と、
位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記音声情報と、前記位置情報と、前記補助情報とを対応付けて記録する記録部と、を有する携帯電話。
【請求項１５】
位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記位置情報と前記補助情報とを対応付けて記録する記録部と、を有するＩＣカード。
【請求項１６】
入出金情報を取得する入出金情報取得部と、
位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記入出金情報と、前記位置情報と、前記補助情報とを対応付けて記録する記録部と、を有するＩＣカード。
【発明の詳細な説明】
【０００１】
【発明の属する技術分野】
この発明はカメラや、ビデオムービーなどの映像記録装置に関する。
【０００２】
【従来の技術】
従来カメラや、ビデオムービーなどはもっぱら映像を記録することを主目的に利用されている。たとえば、デジタルカメラで映像を記録すると記録されるのは映像とせいぜいその撮影時刻のみである。ビデオムービーでも映像に撮影時刻と音声が付加される程度である。
【０００３】
【発明が解決しようとする課題】
カメラや、ビデオムービーで撮影した映像を後にプリントしたり、再生したりすることで、その映像を楽しんだり、残された記録として視聴したりする。しかし、時々、その映像などがどこで撮影されたものか、どのような状況で撮影されたものか、わからなくなることがある。そのような場合にはその撮影日時などを頼りに記憶をたどってどこでその映像が撮影されたのか、そのときの状況はどのような状況だったか思い起こす。
【０００４】
このように、映像を楽しみ、残された記録を視聴する際にはその映像にまつわる種々の情報がときとして必要となる。しかし、従来の映像記録装置ではそのような情報を記録する手段を有していなかった。
【０００５】
【課題を解決するための手段】
本発明では、この課題を解決するために映像記録装置に位置情報を取得する位置情報取得部を設け、撮影時の位置情報とその撮影により得られた映像情報とを関連付けて記録することとした。また、補助情報取得部を設け、映像撮影の際の種々の状況をその映像情報と関連付けて記録できるようにした。
【０００６】
【発明の実施の形態】
＜＜実施形態１＞＞
【０００７】
以下に、本発明の実施の形態を説明する。なお、これから示す実施形態は本発明の最適な実施形態の一部を示すものであるが、これらの実施形態によって本発明が限定されるものではない。まず、実施形態１について説明する。
【０００８】
図１は、本実施形態の概念を示すものである。本実施形態では、映像記録装置が位置情報を取得する位置情報取得部を有し、撮影された映像の情報と、その撮影された場所の位置情報とを関連付けて記録する映像記録装置を提案する。この図にあるように、富士山の写真を撮影しようとしているとする。そうすると映像記録装置であるデジタルカメラの液晶ディスプレイの確認画面には撮影しようとしてレンズを向けている富士山の映像が表示される。
【０００９】
一方、撮影をしようとする場所を示す情報、すなわち位置情報である「静岡県富士市・・・」という情報もあわせてデジタルカメラの液晶ディスプレイの確認画面の下部分に表示されている。この位置情報はＧＰＳ（「全地球測位システム」以下同じ。）の衛星からもたらされるＧＰＳ信号に基づいて映像記録装置内で算出したものである。そして、映像の情報である映像情報と、「静岡県富士市・・・」という位置情報とが関連付けられてこの映像記録装置に記録される。ここで、「位置情報」とは、位置を示すためのすべての情報を含む概念である。したがって、この図の場合には、「静岡県富士市・・・」というもののみならず、「ＧＰＳ信号」そのものを位置情報ととらえてもよい「ＧＰＳ」信号そのものを位置情報と考える場合にはこの映像記録装置であるデジタルカメラでは富士山の映像と、その富士山の映像を撮影した際にＧＰＳ衛星から受信したＧＰＳ信号とが関連付けられて記録される。ＧＰＳ信号のみでは一般の利用者が撮影時の情報として直接的に理解し、利用することが困難である。
【００１０】
そこで、位置情報としてのＧＰＳ信号が映像の情報と関連付けられている場合にはその位置情報をパーソナルコンピュータなどの計算機で利用者が解釈可能な情報、たとえば「静岡県富士市・・・」に変換する。また、パーソナルコンピュータでは比較的計算量が多い処理も可能であるので、単に住所地として「静岡県富士市・・・」として映像と関連付けて記録しておくのみならず、たとえば、静岡県の地図上に撮影時の位置を矢印などで示したものと関連付けて記録しておくことも便利であろう。なお、このように映像記録装置であるデジタルカメラなどにおいて位置情報を記録する際に「ＧＰＳ信号」のまま記録しておくことは計算処理能力の比較的低い映像記録装置である場合には便利である。なぜなら、ＧＰＳ信号を住所情報などに解釈する処理は比較的計算量が多いからである。
【００１１】
図２は、実施形態１の概念を示す他の例である。この図で説明することは映像記録装置の計算処理能力がＧＰＳ信号を住所情報などに解釈するための計算処理能力を有しない場合でもその計算を通信を利用してほかのコンピュータに肩代わりさせる仕組みである。
【００１２】
この図にあるように、富士山の写真を撮影する際に、その撮影場所でＧＰＳ衛星からＧＰＳ信号を受信する。この受信したＧＰＳ信号を、一旦通信を利用してほかの計算機に送信する。ＧＰＳ信号の送信を受けた計算機ではそのＧＰＳ信号に基づいて「静岡県富士市・・・」という位置情報を算出する。そして、「静岡県富士市・・・」という位置情報は通信を介して映像記録装置であるデジタルカメラに送信され、デジタルカメラでは、撮影する富士山の風景の映像情報と「静岡県富士市・・・」という位置情報とを関連付けて記録する。
【００１３】
この処理を行えば映像記録装置であるデジタルカメラに大きな計算の負荷を加えることなく利用者が一見して理解できる位置情報を映像情報とともに記録できるという効果がある。
【００１４】
たとえば、利用者が「静岡県富士市・・・」という位置情報でなく、「静岡県」という位置情報のみでよいと考えると映像記録装置であるデジタルカメラ上で余分な「富士市・・・」の部分を削除する操作を行えばよい。また、同じＧＰＳ信号でも複数の解釈が可能な場合にはそれらの中から映像情報と関連付けて記録すべき位置情報を選択すればよい。たとえば、同じＧＰＳ信号に基づいて、「静岡県富士市・・・」という位置情報と、「静岡県富士川河畔」という位置情報が候補として挙げられる。利用者は、その中から位置情報として「静岡県富士川河畔」の位置情報を選択して映像情報とともに記録する。このようにひとつのＧＰＳ信号から複数の位置情報候補を出すことは映像記録装置であるデジタルカメラにおいて行われてもよいし、ほかの計算機によって行われてもよい。計算量が多いため後者の方法を採用するのが便利であろう。
【００１５】
図３は、本実施形態の映像記録装置の機能ブロックの一例を示す図である。この図にあるように、この映像記録装置は、映像撮影部と、位置情報取得部と、映像記録部とを具備する。
【００１６】
「映像撮影部」は、映像を撮影するための部分である。「映像」には、静止画、動画の両者が含まれる。映像撮影部はたとえば、ＣＣＤを含む。「ＣＣＤ」とは「電荷結合素子」を意味する。光を電荷に変え、それを一時蓄積し、バケツ・リレーのような形で転送して電気信号を出力するものである。デジタルカメラやデジタルビデオカメラなどに採用されている。ただし、本発明においてはＣＣＤによって映像を撮影するものに限られず、従来の銀塩フィルムを用いて映像を撮影する映像撮影部も含まれる。この場合には映像記録はフィルム上に直接行われ、位置情報もフィルム上に直接焼き付けられる。
【００１７】
「位置情報取得部」は、位置情報を取得する部分である。「位置情報」とは前述のように位置に関する情報のすべてのものを含む概念である
【００１８】
図５は位置情報の概念を示すものである。この図にあるように、「位置情報」には、「ＧＰＳ信号」、「地理情報」、「携帯電話、ＰＨＳの基地局情報」などがある。さらに、「地理情報」には、「経度、緯度情報」、「地名、住所情報」、「地図情報」がある。また、これらに基づいて作られる情報も位置情報である。たとえば、その住所などにある施設、店舗などの名称、その位置にある河川、池、湖、山、渓谷、海岸などの名称、その位置にある道路、交差点、橋、トンネル、港湾、桟橋などの名称なども位置情報に含まれる。
【００１９】
位置情報取得部は、ＧＰＳ衛星や、位置情報を提供するサーバなどから位置情報を取得する。したがって、位置情報取得部は受信機能を有している。ただし、受信は必ずしも無線に限られず、有線での受信であってもよい。有線で受信する場合とはたとえばカーナビゲーションから有線で位置情報を取得する場合や、携帯電話から有線で位置情報を取得する場合である。したがって位置情報取得部の受信の形式は、ＧＰＳ衛星からの受信、インターネット接続網を利用した受信、公衆回線網を利用した受信、ブルートゥースや、ＵＳＢなどを利用した受信など各種の形式のものを採用可能である。
【００２０】
また前述のように、ＧＰＳ信号を受信し、一旦このＧＰＳ信号をたとえば住所情報などに変換するためのサーバに送信し、そのサーバが変換した結果である住所情報などを送り返したものを受信する構成を採用する場合には、この位置情報取得部がこれらの機能を有していてもよい。
【００２１】
「映像記録部」は、前記映像撮影部で撮影された映像の情報である映像情報と前記位置情報取得部で取得した位置情報を対応付けて記録する。対応付けてとは何らかの形で関連付けることをいう。映像情報は各種の形式のものが許容される。たとえば、静止画に関しては、ＪＰＥＧ形式、ＧＩＦ形式、ＢＭＰ形式、ＴＩＦＦ形式、などである。動画では、ＭＰＥＧ方式などである。もちろん銀塩フィルムに記録する形式のものであってもよい。映像情報を電子データで記録する場合には映像記録部には各種の形態の記憶装置が利用できる。ハードディスクドライブ、ＤＲＡＭ、各種ＲＯＭ、ＤＶＤ、ＭＤ、ＩＣカード、ＦＤ、などである。
またこの映像記録部は瞬間的な記録のみを行う一時メモリのようなものであってもよい。たとえば、ニュースなどの中継に利用する映像記録装置であるテレビカメラや、撮影した映像を直ちに無線などで外部に送り出すデジタルカメラなどの映像記録装置などでの一時メモリである。
【００２２】
なお、「映像記録装置」は映像記録専用の機器のみを言うものでなく、携帯電話、カーナビゲーション、ＰＤＡ、ノートブックパソコンなど各種の機能を有する機器と複合したものであってもよいことは言うまでもない。これらの機器との複合化により、映像と位置情報とをさらに多様に応用できる。
【００２３】
図４は、この実施形態の映像記録装置の映像情報と位置情報との対応付けの様子を示すための機能ブロック図の一例である。この図の例では対応付けのためにタイマーを利用している。このタイマーは、現在時刻を出力することが可能である。そして、映像撮影部によって、映像が撮影されると、その撮影の時刻をタイマーから取得し、映像情報と時刻情報とを関連付ける。一方、位置情報取得部が取得する位置情報もその取得の際にタイマーからその取得の時刻を取得し、位置情報とその時刻とを関連付ける。映像記録部で位置情報と映像情報とを対応付けて記録する際には、映像情報と関連付けられた時刻と対応する位置情報をその映像情報と対応付けて記録する。
【００２４】
たとえば、映像撮影部で撮影された映像情報「Ｐ００１」と関連付けられた時刻が「’０３．１２．０４．１３：０５」すなわち、２００３年１２月４日１３時５分であるとする。そして、位置情報「Ｌ００１」に関連付けられた時刻が同じく「’０３．１２．０４．１３：０５」であるとする。そうすると、映像記録部で映像情報「Ｐ００１」を記録する際には、時刻「’０３．１２．０４．１３：０５」すなわち、２００３年１２月４日１３時５分の位置情報「Ｌ００１」と対応付けて記録する。この時刻の最小刻みを「分」までとするか、「秒」までとするか、さらにはそれよりも下位の位までとするかは、選択できるようにしてもよいし、映像記録装置の移動速度を位置情報とタイマーとを利用して算出しその移動速度にあわせて選択するようにしてもよい。たとえば、移動速度が小さい場合には時刻は分刻みとし、移動速度が速い場合には時刻を秒刻みとするという具合である。移動速度が速い場合には、撮影された位置が次々に変化するので位置情報も秒刻みなどのテンポで新しい情報を利用すべきだからである。なお、位置情報と映像情報と関連付けられた時刻は必ずしも一致する必要はなく、最も近い時刻の位置情報と映像情報とを対応付ければよい。
【００２５】
図６は、この実施形態の処理の流れの一例を示す図である。まず、映像を撮影し、ついで位置情報を取得し、さらに撮影された映像の情報である映像情報と位置情報とを対応付けて記録し、処理を終了する。
【００２６】
図７は、この実施形態の処理の流れを示す他の例を示す図である。まず、映像を撮影し、ＧＰＳ信号である位置情報を取得する。ついで、撮影された映像の情報である映像情報とＧＰＳ信号（位置情報）とを対応付けて記録する。さらにＧＰＳ信号（位置情報）を地理情報に変換し、映像情報と対応付けて記録する。この処理はたとえばデジタルカメラでＧＰＳ信号を地理情報に変換するすべての処理を行う場合に該当する。
【００２７】
図８は、この実施形態の処理の流れを示す他の例を示す図である。まず、映像を撮影し、ＧＰＳ信号を取得する。ついで、ＧＰＳ信号を送信する。そして、送信したＧＰＳ信号に基づいて返信される位置情報を取得する。最後に、撮影された映像の情報である映像情報と位置情報とを対応付けて記録する。
【００２８】
＜＜実施形態２＞＞
【００２９】
次に実施形態２について説明する。実施形態２は、実施形態１のものを基本としてさらに補助情報を取得するための外部補助情報取得部を有するものである。
【００３０】
図９は、この実施形態の映像記録装置の機能ブロックの一例を示す図である。
この図にあるように、この映像記録装置は、映像撮影部と、位置情報取得部と、映像記録部とを具備する。そして、さらに外部補助情報取得部を有する。
【００３１】
「補助情報」とは、たとえば「天候情報」、「地域情報」、「商品・サービス情報」などをいう。そして、この補助情報は映像記録部で記録される映像情報と適宜関連付けられて記録される。たとえば、天候情報として、位置情報で示される位置における天候の情報がある。撮影した際の天候をその映像情報とともに記録しておくことができる。たとえば、「快晴、風やや強し」などというものである。また地域情報とはたとえば、田子の浦で釣りを」している映像に合わせる「田子の浦：マゴチ釣りの最盛期」などというものである。また、「商品・サービス情報」としてはたとえば、居酒屋の宴会で料理を前にした記念撮影で「本店の名物：マゴチの船盛り」と言う具合である。
【００３２】
＜＜実施形態３＞＞
【００３３】
次に実施形態３について説明する。実施形態３は、実施形態１を基本として、さらに映像情報送信部を有する点に特徴を有する映像記録装置である。
【００３４】
図１０はこの実施形態の映像記録装置の機能ブロックの一例を示す図である。
この映像記録装置は、映像撮影部と、位置情報取得部と、映像記録部とを具備する。さらに映像情報送信部を有している。映像情報送信部は、映像記録部で記録した映像情報と位置情報とを有する位置情報付加映像情報を送信する。この位置情報付加映像情報は、位置情報と映像情報とを対応付けたものなどが該当する。
【００３５】
「映像情報送信部」は、たとえば映像情報処理装置に位置情報付加映像情報を送信する。そして、映像情報処理装置では、位置情報と映像情報とを対応付けて蓄積し、必要に応じて映像情報を位置情報と関連付けて映像化することを可能とする。たとえば、写真の現像センタのようなもののデジタルカメラ版である。この仕組みを採用すると位置情報を利用して比較的多くの計算量を必要とする処理を行い位置情報の付加価値を高めることができる。たとえば、位置情報を加工することでその撮影場所の地図と、その撮影場所に至るまで（またはその後も含めた）の移動履歴と、撮影場所の歴史的資料などの説明資料を映像情報と対応付けて蓄積することなどである。
【００３６】
第二のメリットとしては、映像記録装置で映像情報などを蓄積しなくてもすむので映像記録装置の構成を簡単化することができる点である。たとえば、ＩＣカードを映像記録用に利用するのはＩＣカードが満杯になった際に空のＩＣカードと交換できるからであるが、そのためにはＩＣカードの挿入機構など複雑な機構を採用する必要がある。しかし、映像情報送信部があれば、そのような機構も不要となるので映像記録装置の機構の簡略化が可能となる。これは、信頼性の向上にもつながる。
【００３７】
図１１は、この実施形態の処理の流れを示す図である。この図にあるように、まず、映像を撮影する。そして、位置情報を取得する。そして、撮影された映像の情報である映像情報と位置情報とを対応付けて記録する。最後に、記録した映像情報と、この映像情報と対応付けられた位置情報とを有する位置情報付加映像情報を送信する。なお、ここでは、撮影された映像の情報である映像情報を一旦記録しているが、これは一時メモリなどに記録する場合も含む趣旨である。また、映像情報と、この映像情報と対応付けられた位置情報とを記録することなく直接的に位置情報付加映像情報を送信する処理を採用することも本実施形態の趣旨に沿うものである。
【００３８】
＜＜実施形態４＞＞
【００３９】
次に実施形態４について説明する。実施形態４は、実施形態１のものを基本として、取得した位置情報に基づいて補助情報を選択して記録する映像記録部を有する点に特徴のある映像記録装置である。
【００４０】
図１２に示すのは、この実施形態の映像記録装置である。この図にあるように、この映像記録装置は、映像撮影部と、位置情報取得部と、映像記録部と、さらに補助情報取得部と、補助情報管理部とを有する。
【００４１】
「補助情報管理部」は、位置情報と補助情報を対に管理する。「管理」するとは、適宜補助情報を修正し、追加し、削除して記録しておくことを言う。「補助情報取得部」は、前記位置情報取得部で取得した位置情報と対になる補助情報を前記補助情報管理部から取得する。「前記映像記録部」は、前記映像撮影部で撮影した映像の情報である映像情報と前記補助情報取得部で取得した補助情報を対応付けて記録する。また、さらに外部補助情報取得部を有していてもよい。
【００４２】
図１３に示すのは、補助情報と位置情報とを対にして補助情報管理部において管理している様子を示すものである。たとえば、位置情報として「中華大将軍」という中華料理の店舗名があると、その位置情報と対になって、「満願全席」、「山海珍味」、「海鮮フルコース」、「つばめの巣コース」という具合にメニュー情報である補助情報が管理されている。そして、映像情報と、その映像情報に対応付けられた位置情報と、さらにその位置情報と対応付けられた補助情報の三者が映像記録部において対応付けられて記録されるのである。この補助情報は映像情報に対応付けられた位置情報に基づいて前記補助情報取得部が取得し、映像記録部に渡すことで記録が行われる。なお、図示していないが、この補助情報管理部で管理されている補助情報は、実施形態２で説明した外部補助情報取得部をこの実施形態の映像記録装置に加えることで外部から取得して管理するようにしてもよい。
【００４３】
図１４に示すのは、この実施形態を説明するための概念図である。この図は、中華料理店「中華大将軍」で会食風景をこの映像記録装置で撮影する場合を示す。まず、位置情報として、「中華大将軍」を位置情報取得部が取得する。この位置情報「中華大将軍」と対応付けられてこの店舗で提供される中華料理のメニューが補助情報管理装置に記録されている。たとえば、「満願全席」、「山海珍味」、「海鮮フルコース」、「つばめの巣コース」という具合である。この映像の撮影者は、映像情報記録装置の選択を促す画面にしたがって、会食で利用されているメニューである「海鮮フルコース」を選択する。そうすると、位置情報「中華大将軍」、映像情報としての会食風景、そして、補助情報である「海鮮フルコース」の三者が胎動付けられて映像記録部に記録される。なお、このように、位置情報に対応付けられている補助情報は複数の場合もある。その場合にはたとえば映像記録装置が取得する操作命令などに従ってその中から記録されるべき補助情報が選択される。
【００４４】
図１５に示すのは、この実施形態を説明するための他の概念図である。この例では位置情報として「越前海岸」が取得され、その位置情報に応じて補助情報が「天候、快晴」である場合である。天候を知るためには映像記録装置内に固定された補助情報のみでは無理であるので、天候に関する情報を天候情報サーバなどに位置情報の送信とともに要求し、応答内容である「快晴」を補助情報として利用する。なお、この例では、撮影される映像には、位置情報「越前海岸」、補助情報「天候、快晴」のほかに、時刻情報として撮影時刻「６：３８ＡＭ」も合わせて記録される。
【００４５】
図１６は、この実施形態の処理の流れを示す図である。この図にあるように、まず映像を撮影し、ついで位置情報を取得し、さらに位置情報と対になる補助情報を取得し、最後に撮影された映像の情報である映像情報と、位置情報と、補助情報との三者を対応付けて記録する。
【００４６】
図１７は、この実施形態の処理の流れを示す他の図である。この図は、補助情報がたとえばその位置情報で特定される撮影場所の天候情報など映像記録装置外から取得しなければならない場合の補助情報の取得の処理の流れを示すものである。まず、映像記録装置の内部処理などにおいて、補助情報の取得要求があったか判断する。映像記録装置の内部処理に基づく補助情報の要求とは、たとえば映像記録装置であるデジタルカメラのシャッターボタンに軽く指を触れることで生じる。シャッターボタンに軽く触れる場合にはこれから映像の撮影が行われる可能性が高く、事前に補助情報を取得するとその後の処理のために便利だからである。補助情報の取得の要求があったと判断された場合には位置情報を取得する。
この位置情報の取得は、前記判断と前後していてもよい。そして、位置情報に対応した補助情報があるか判断する。位置情報に対応した補助情報が映像記録装置内にある場合には対応する補助情報を取得し、ない場合には外部から通信にて位置情報に対応した補助情報を取得する。最後に補助情報を映像記録部に渡し、処理を終了する。
【００４７】
＜＜実施形態５＞＞
【００４８】
次に実施形態５について説明する。実施形態５は、実施形態３の映像記録装置などから位置情報付加映像情報を受信して処理する映像情報処理装置である。
【００４９】
図１８は、この実施形態の映像情報処理装置の機能ブロックの一例を示す図である。この映像情報処理装置は、映像情報受信部と、補助情報管理部と、補助情報取得部と、映像記録部とを具備する。
【００５０】
「映像情報受信部」は、実施形態３記載の映像記録装置などから位置情報付加映像情報を受信する。この受信は、各種の媒体を利用することができる。インターネット接続網を利用した受信、公衆回線網を利用した受信、ブルートゥースや、ＵＳＢなどを利用した受信など各種の形式のものを採用可能である。
【００５１】
「補助情報管理部」は、位置情報と補助情報を対に管理する。「管理」、「対にして」の意義は前述のとおりである。
【００５２】
「補助情報取得部」は、前記映像情報受信部が受信した位置情報付加映像情報が有する位置情報と対になる補助情報を前記補助情報管理部から取得する。
【００５３】
「映像記録部」は、前記映像情報受信部が受信した位置情報付加映像情報が有する映像情報と前記補助情報取得部が取得した補助情報を対応付けて記録する。
【００５４】
図１９は、実施形態３の映像記録装置と本実施形態の映像情報処理装置とが通信により結ばれ、位置情報付加映像情報が映像記録装置から本実施形態の映像情報処理装置に渡される様子を示すシステムのブロック図である。このように、実施形態３の映像記録装置から位置情報付加映像情報を通信などによって送信し、実施形態３の構造を簡単化することの利便性はすでに述べたとおりである。
【００５５】
図２０は、この実施形態の処理の流れを示す図である。まず、位置情報付加映像情報を受信したか判断し、受信した場合には位置情報付加映像情報が有する位置情報と対になる補助情報を得る。そして、位置情報付加映像情報が有する映像情報と、得られた補助情報とを対応付けて記録する。この際に、位置情報を対応付けて記録してもよいことは言うまでもない。
【００５６】
＜＜実施形態６＞＞
【００５７】
次に実施形態６について説明する。実施形態６は、実施形態５の映像情報処理装置を基本として、さらに前記映像記録部が記録した映像と補助情報を出力する映像情報出力部を具備する映像情報処理装置である。
【００５８】
図２１は、この実施形態の概念を説明するための図である。たとえば、親子で遊園地などに出かけたとする。そして、遊園地の中で記念撮影する際に、その映像記録装置は位置情報を取得し、その位置情報と関連付けて映像情報を記録する。すなわち位置情報付加映像情報を記録する。そして、その位置情報付加映像情報をプリントセンターなどに設置されている映像情報処理装置に渡す。これは通信を利用してもよいし、記録媒体を利用してもよいし、直接的にデジタルカメラなどを持参してプリントセンターなどにある映像情報処理装置に有線で接続してもよい。そうすると、映像情報処理装置により位置情報に基づいて補助情報と対応付けられた映像情報のプリント、すなわち出力が行われる。
【００５９】
図２２に示すのは、この一例である。映像情報に対して対応付けられたのは、その遊園地のキャラクターを配した写真の縁取り、すなわち、フレームの情報である。このようなフレーム情報はデータが比較的大きいので映像記録装置自体に記憶させておくのは不便である。そこで、このような比較的データの大きな補助情報を映像情報処理装置に記憶させておき適宜利用するようにすればよい。
【００６０】
図２３は、この実施形態の機能ブロックの一例を示す図である。この図にあるように、基本的には実施形態５の映像情報処理装置と共通であり、映像情報受信部と、補助情報管理部と、補助情報取得部と、映像記録部とを具備する。そして、この実施形態のものではさらに、映像情報出力部を有している点に特徴がある。「出力」とは、プリントするような形態の出力のほかに、電子化したデータを出力するものも含む趣旨である。電子化したデータの出力は、記録媒体を利用して、また通信を利用して行われる。
【００６１】
図２４は、この実施形態の処理の流れを示す図である。この図にあるように、まず、位置情報付加映像情報を受信したか判断し、受信したと判断される場合には、位置情報付加映像情報が有する位置情報と対になる補助情報を得る。さらに、位置情報付加映像情報が有する映像情報と補助情報とを対応付けて記録し、記録された映像情報と補助情報とを出力して処理を終了する。
【００６２】
＜＜その他の実施形態＞＞
【００６３】
以上は映像記録装置に関して説明したが、この発明は必ずしも映像記録装置に限定されるものでない。一般的な電子機器において応用することで位置情報と、その位置情報に対応付けられた情報とを利用して種々に情報管理をすることができる。したがって、位置情報を取得する位置情報取得部と、前記位置情報取得部で取得した位置情報を送信する位置情報送信部と、前記位置情報送信部から送信された位置情報に関連付けられた補助情報を受信する補助情報受信部と、前記位置情報と前記補助情報とを対応付けて記録する記録部と、を有する電子機器とすれば、便利である。この電子機器の処理は、位置情報を取得する位置情報取得ステップと、前記位置情報取得部で取得した位置情報を送信する位置情報送信ステップと、前記位置情報送信部から送信された位置情報に関連付けられた補助情報を受信する補助情報受信ステップと、前記位置情報と前記補助情報とを対応付けて記録する記録ステップと、からなる。
【００６４】
図２５に示すように、たとえば、電子機器として、画像編集装置を例に挙げることができる。画像編集装置は、実施形態１から４に述べた映像記録装置の映像情報を編集する装置である。さらに具体的にはパーソナルコンピュータなどによって実現される。そして、その位置情報取得部は、編集しようとしている映像情報に対応付けられた位置情報を取得し、その位置情報に関連付けられた補助情報を通信によって取得する。たとえば、編集しようとしている映像情報が富士山の映像であり、位置情報も富士山を示すものである場合には、その電子機器である画像編集装置（たとえば、パーソナルコンピュータ）は、位置情報「富士山」に関連付けられた情報たとえば、「静岡・山梨県境にある日本第一の高さをほこる山。富士火山帯にある典型的な円錐状成層火山で、なだらかで美しい裾野を引き、頂上には深さ２２０メートルほどの火口がある。３７７６メートル。史上たびたび噴火し、最近では１７０７年（宝永４）爆裂した。箱根・伊豆を含んで国立公園に指定。立山・白山と共に日本三霊山の一」を、たとえばインターネットを通じて取得し、富士山の映像情報と関連付けて記録し、映像情報をプリントアウトする場合などにはそのキャプション（小いさな説明）としてプリントの枠の部分や、画像の空の部分などに付加すると便利である。
【００６５】
図２６は、この画像編集装置の機能ブロックの一例を示す図である。位置情報を取得する位置情報取得部と、前記位置情報取得部で取得した位置情報を送信する位置情報送信部と、前記位置情報送信部から送信された位置情報に関連付けられた補助情報を受信する補助情報受信部と、前記位置情報と前記補助情報とを対応付けて記録する記録部と、を有する電子機器である。
【００６６】
たとえば、上記電子機器として、腕時計を上げることができる。腕時計は常時携帯するものであるので、位置情報をその腕時計を利用する人の行動情報と関連付けて記録することができて便利である。「腕時計」は、一般的な腕時計のみならず、本明細書においては、携帯可能な時計の全体を指す。
【００６７】
図２７に示すように、腕時計の応用例に関する構成としては、時刻情報を取得する時刻取得部と、位置情報を取得する位置情報取得部と、前記位置情報取得部で取得した位置情報を送信する位置情報送信部と、前記位置情報送信部から送信された位置情報に関連付けられた補助情報を受信する補助情報受信部と、前記時刻情報と、前記位置情報と、前記補助情報とを対応付けて記録する記録部と、を有する腕時計が考えられる。このような構成とすることで、人の行動を時刻と、位置情報と、その位置情報に対応付けられた補助情報で記録可能である。
【００６８】
図２８に示すように、たとえば、ある営業マンの一日の行動記録が、時刻と、位置情報である訪問先、そして補助情報としての面談相手の氏名、内容などとして自動的に記録可能となる。補助情報としての面談相手の氏名や、内容は初訪問の際に記録しておけば、次回からは位置情報と対応付けられた情報として記録されるのである。また、時刻は国によって、すなわち世界的に見れば、その位置によって異なるものであるために、その位置に応じて適切な時刻情報を対応付けると便利である。この点は、電子機器として腕時計などが選択される場合のみならず、本発明のすべての実施形態においてタイマー機能を実装可能な場合に適用すると便利である。たとえば、ロンドンの時計台の前での記念撮影には、ロンドンでの時刻をその映像情報とともに記録するという具合である。このロンドンでの時刻は、位置情報に基づいて取得する補助情報から取得しても良いし、この補助情報に基づいてタイマーの時刻を修正する機能を持たせても良い。
【００６９】
また、別の例として、携帯電話の例を上げることができる。携帯電話も常時携帯するものであるので行動記録を記録する電子機器として有望である。また、携帯電話では会話内容を記録することが可能となるが、会話内容と位置情報とを関連付けて記録しておけば会話のあった際の状況を鮮明に再現できるなどの効果がある。
【００７０】
図２９に示すように、携帯電話に本発明を応用すると、その構成は、位置情報を取得する位置情報取得部と、前記位置情報取得部で取得した位置情報を送信する位置情報送信部と、前記位置情報送信部から送信された位置情報に関連付けられた補助情報を受信する補助情報受信部と、前記位置情報と前記補助情報とを対応付けて記録する記録部と、を有する携帯電話である。なお「携帯電話」は、一般に携帯電話と呼ばれているもののほかに、ＰＨＳ、トランシーバーなど携帯可能な通話機器の全体を意味する。
【００７１】
また、これにさらに音声情報を取得する音声情報取得部を加えたものであってもよい。
【００７２】
図３０に示すように、その場合には、音声情報取得部と、位置情報を取得する位置情報取得部と、前記位置情報取得部で取得した位置情報を送信する位置情報送信部と、前記位置情報送信部から送信された位置情報に関連付けられた補助情報を受信する補助情報受信部と、前記音声情報と、前記位置情報と、前記補助情報とを対応付けて記録する記録部と、を有する携帯電話となる。なお、電子機器を携帯電話とした場合には位置情報は、ＧＰＳ情報のみならず、その携帯電話が通信している基地局を識別する情報も容易に利用できるというメリットがある。
【００７３】
電子機器としてほかに有望な応用例がＩＣカードである。なぜならＩＣカードも常時携帯するものだからである。
【００７４】
図３１に示すように、ＩＣカードの構成としては、位置情報を取得する位置情報取得部と、前記位置情報取得部で取得した位置情報を送信する位置情報送信部と、前記位置情報送信部から送信された位置情報に関連付けられた補助情報を受信する補助情報受信部と、前記位置情報と前記補助情報とを対応付けて記録する記録部と、を有するＩＣカードが考えられる。
【００７５】
特に、ＩＣカードが入手金を行う機能を有するものである場合には、入出金と位置情報、補助情報とを対応付けて記録できるので便利である。なぜなら、どこでいくらのお金を使ったか、あるいは入手したかが明確となるからである。また、この情報はＩＣカードを利用する者がたとえばマーケッティングを業とする者に提供し、多数の人間の入出金すなわち購買と行動パターンとを分析するのに有効な資料となる。
【００７６】
図３２に示すように、このＩＣカードの構成としては、入出金情報を取得する入出金情報取得部と、位置情報を取得する位置情報取得部と、前記位置情報取得部で取得した位置情報を送信する位置情報送信部と、前記位置情報送信部から送信された位置情報に関連付けられた補助情報を受信する補助情報受信部と、前記入出金情報と、前記位置情報と、前記補助情報とを対応付けて記録する記録部と、を有するＩＣカードが考えられる。
【００７７】
なお、本発明にいうところの位置情報には、前述のように位置に関連するすべての種類の情報を含むことが可能であるため、標高、深度はもちろんのこと、技術的に検知可能な種類の電子機器などにおいては、その向き、速度、などのベクトル情報も含む趣旨である。したがって、位置情報とそれに対応付けられる補助情報には、「富士山、七合目」、「富士山、標高３０００メートル」、「霞ヶ関ビル３０階」、「東京駅  地下４階」、「東名高速  東京料金所  名古屋方面口」などが該当する。
【００７８】
また、その他の実施形態にて説明した補助情報は、通信により外部から取得する形式について説明したが、必ずしもすべての補助情報を外部から取得する必要はない。たとえば、携帯型の電子機器にとって記憶させておくことが負担にならない程度の情報量である場合には電子機器に内蔵するメモリに蓄えておいても良い。その場合には、前述の補助情報受信部は、補助情報を内部において取得する機能を果たす。また前述の位置情報送信部も内部において位置情報を送り出す機能を果たす。もちろん、電子機器の内部に位置情報と補助情報とを対応付けて蓄積してある機能部分が必要となる。
【００７９】
【発明の効果】
カメラや、ビデオムービーで撮影した映像を後にプリントしたり、再生したりすることで、その映像を楽しんだり、残された記録として視聴したりする際に、その映像などがどこで撮影されたものか、どのような状況で撮影されたものかが明らかとなる。また、位置情報と補助情報と各種の情報とを結びつけて記録することにより、たとえば、行動記録、会話記録など各種の情報の利用が便利となった。
【図面の簡単な説明】
【図１】実施形態１を説明するための概念図
【図２】実施形態１を説明するための概念図
【図３】実施形態１を説明するための機能ブロック図
【図４】実施形態１を説明するための機能ブロック図
【図５】位置情報の概念を説明するための図
【図６】実施形態１の処理の流れを示す図
【図７】実施形態１の処理の流れを示す図
【図８】実施形態１の処理の流れを示す図
【図９】実施形態２の機能ブロックの一例を示す図
【図１０】実施形態３の機能ブロックの一例を示す図
【図１１】実施形態３の処理の流れを示す図
【図１２】実施形態４の機能ブロックの一例を示す図
【図１３】実施形態４の補助情報管理部の一例を示す図
【図１４】実施形態４の概念を示す図
【図１５】実施形態４の概念を示す図
【図１６】実施形態４の処理の流れを示す図
【図１７】実施形態４の処理の流れを示す図
【図１８】実施形態５の機能ブロックの一例を示す図
【図１９】実施形態５の機能ブロックの一例を示す図
【図２０】実施形態５の処理の流れを示す図
【図２１】実施形態６の概念を説明するための図
【図２２】補助情報の出力の一例を示す図
【図２３】実施形態６の機能ブロックの一例を示す図
【図２４】実施形態６の処理の流れを示す図
【図２５】その他の実施形態の概念を示す図
【図２６】その他の実施形態の電子機器の機能ブロックの一例を示す図
【図２７】その他の実施形態の携帯可能な時計の機能ブロックの一例を示す図
【図２８】その他の実施形態により記録される営業マンの行動記録の概念図
【図２９】その他の実施形態の携帯電話の機能ブロックの一例を示す図
【図３０】その他の実施形態の携帯電話の機能ブロックの一例を示す図
【図３１】その他の実施形態のＩＣカードの機能ブロックの一例を示す図
【図３２】その他の実施形態のＩＣカードの機能ブロックの一例を示す
【符号の説明】
０３００  映像記録装置
０３０１  位置情報取得部
０３０２  映像撮影部
０３０３  映像記録部
【図１】
2005051278.tif 000003
【図２】
2005051278.tif 000004
【図３】
2005051278.tif 000005
【図４】
2005051278.tif 000006
【図５】
2005051278.tif 000007
【図６】
2005051278.tif 000008
【図７】
2005051278.tif 000009
【図８】
2005051278.tif 000010
【図９】
2005051278.tif 000011
【図１０】
2005051278.tif 000012
【図１１】
2005051278.tif 000013
【図１２】
2005051278.tif 000014
【図１３】
2005051278.tif 000015
【図１４】
2005051278.tif 000016
【図１５】
2005051278.tif 000017
【図１６】
2005051278.tif 000018
【図１７】
2005051278.tif 000019
【図１８】
2005051278.tif 000020
【図１９】
2005051278.tif 000021
【図２０】
2005051278.tif 000022
【図２１】
2005051278.tif 000023
【図２２】
2005051278.tif 000024
【図２３】
2005051278.tif 000025
【図２４】
2005051278.tif 000026
【図２５】
2005051278.tif 000027
【図２６】
2005051278.tif 000028
【図２７】
2005051278.tif 000029
【図２８】
2005051278.tif 000030
【図２９】
2005051278.tif 000031
【図３０】
2005051278.tif 000032
【図３１】
2005051278.tif 000033
【図３２】
2005051278.tif 000034
【手続補正書】
【提出日】平成13年8月14日(2001.8.14)
【手続補正１】
【補正対象書類名】明細書
【補正対象項目名】全文
【補正方法】変更
【補正の内容】
【特許請求の範囲】
【請求項１】映像を撮影する映像撮影部と、
位置情報を取得する位置情報取得部と、
前記映像撮影部で撮影された映像の情報である映像情報と前記位置情報取得部で取得した位置情報を対応付けて記録する映像記録部とを具備する映像記録装置。
【請求項２】補助情報を取得する外部補助情報取得部をさらに有する請求項１記載の映像記録装置。
【請求項３】前記映像記録部で記録した映像情報とこの映像情報と対応付けられた位置情報とを有する位置情報付加映像情報を送信する映像情報送信部をさらに具備する請求項１記載の映像記録装置。
【請求項４】位置情報と補助情報を対に管理する補助情報管理部と、
前記位置情報取得部で取得した位置情報と対になる補助情報を前記補助情報管理部から取得する補助情報取得部とをさらに具備し、
前記映像記録部は、前記映像撮影部で撮影した映像の情報である映像情報と前記補助情報取得部で取得した補助情報を対応付けて記録することを特徴とする請求項１記載の映像記録装置。
【請求項５】請求項３記載の映像記録装置から位置情報付加映像情報を受信して処理する映像情報処理装置であって、
前記位置情報付加映像情報を受信する映像情報受信部と、
位置情報と補助情報を対に管理する補助情報管理部と、
前記映像情報受信部が受信した位置情報付加映像情報が有する位置情報と対になる補助情報を前記補助情報管理部から取得する補助情報取得部と、
前記映像情報受信部が受信した位置情報付加映像情報が有する映像情報と前記補助情報取得部が取得した補助情報を対応付けて記録する映像記録部とを具備する映像情報処理装置。
【請求項６】前記映像記録部が記録した映像と補助情報を出力する映像情報出力部をさらに具備する請求項５記載の映像情報処理装置。
【請求項７】補助情報の取得要求があったか判断するステップと、
補助情報の取得の要求があったと判断された場合に、位置情報を取得するステップと、
前記ステップにて取得した位置情報に対応した補助情報があるか判断するステップと、
前記位置情報に対応した補助情報がある場合には対応する補助情報を取得し、ない場合には外部から通信にて位置情報に対応した補助情報を取得するステップと、
補助情報を映像記録部に渡すステップと、をコンピュータに実行させるためのプログラム。
【請求項８】位置情報を取得するステップと、
取得した位置情報と対になる補助情報を取得するステップと、
前記映像記録部は、前記映像撮影部で撮影した映像の情報である映像情報と前記補助情報取得部で取得した補助情報を対応付けて記録するステップとをコンピュータに実行させるためのプログラム。
【請求項９】前記位置情報付加映像情報を受信するステップと、
前記位置情報付加映像情報が有する位置情報と対になる補助情報を取得するステップと、
位置情報付加映像情報が有する映像情報と前記補助情報を対応付けて記録するステップとをコンピュータに実行させるためのプログラム。
【請求項１０】位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記位置情報と前記補助情報とを対応付けて記録する記録部と、を有する電子機器。
【請求項１１】映像情報を取得する映像情報取得部と、
前記映像情報取得部で取得した映像情報に対応付けられた位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記映像情報と、前記位置情報と、前記補助情報とを対応付けて記録する記録部と、
前記映像情報と、前記位置情報と、前記補助情報とを編集する編集部と、を有する画像編集装置。
【請求項１２】時刻情報を取得する時刻取得部と、
位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記時刻情報と、前記位置情報と、前記補助情報とを対応付けて記録する記録部と、を有する携帯可能な時計。
【請求項１３】位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記位置情報と前記補助情報とを対応付けて記録する記録部と、を有する携帯電話。
【請求項１４】音声情報を取得する音声情報取得部と、
位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記音声情報と、前記位置情報と、前記補助情報とを対応付けて記録する記録部と、を有する携帯電話。
【請求項１５】位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記位置情報と前記補助情報とを対応付けて記録する記録部と、を有するＩＣカード。
【請求項１６】入出金情報を取得する入出金情報取得部と、
位置情報を取得する位置情報取得部と、
前記位置情報取得部で取得した位置情報を送信する位置情報送信部と、
前記位置情報送信部から送信された位置情報に関連付けられた補助情報を受信する補助情報受信部と、
前記入出金情報と、前記位置情報と、前記補助情報とを対応付けて記録する記録部と、を有するＩＣカード。
【発明の詳細な説明】
【０００１】
【発明の属する技術分野】
この発明はカメラや、ビデオムービーなどの映像記録装置に関する。
【０００２】
【従来の技術】
従来カメラや、ビデオムービーなどはもっぱら映像を記録することを主目的に利用されている。たとえば、デジタルカメラで映像を記録すると記録されるのは映像とせいぜいその撮影時刻のみである。ビデオムービーでも映像に撮影時刻と音声が付加される程度である。
【０００３】
【発明が解決しようとする課題】
カメラや、ビデオムービーで撮影した映像を後にプリントしたり、再生したりすることで、その映像を楽しんだり、残された記録として視聴したりする。しかし、時々、その映像などがどこで撮影されたものか、どのような状況で撮影されたものか、わからなくなることがある。そのような場合にはその撮影日時などを頼りに記憶をたどってどこでその映像が撮影されたのか、そのときの状況はどのような状況だったか思い起こす。
【０００４】
このように、映像を楽しみ、残された記録を視聴する際にはその映像にまつわる種々の情報がときとして必要となる。しかし、従来の映像記録装置ではそのような情報を記録する手段を有していなかった。
【０００５】
【課題を解決するための手段】
本発明では、この課題を解決するために映像記録装置に位置情報を取得する位置情報取得部を設け、撮影時の位置情報とその撮影により得られた映像情報とを関連付けて記録することとした。また、補助情報取得部を設け、映像撮影の際の種々の状況をその映像情報と関連付けて記録できるようにした。
【０００６】
【発明の実施の形態】
＜＜実施形態１＞＞
【０００７】
以下に、本発明の実施の形態を説明する。なお、これから示す実施形態は本発明の最適な実施形態の一部を示すものであるが、これらの実施形態によって本発明が限定されるものではない。まず、実施形態１について説明する。
【０００８】
図１は、本実施形態の概念を示すものである。本実施形態では、映像記録装置が位置情報を取得する位置情報取得部を有し、撮影された映像の情報と、その撮影された場所の位置情報とを関連付けて記録する映像記録装置を提案する。この図にあるように、富士山の写真を撮影しようとしているとする。そうすると映像記録装置であるデジタルカメラの液晶ディスプレイの確認画面には撮影しようとしてレンズを向けている富士山の映像が表示される。
【０００９】
一方、撮影をしようとする場所を示す情報、すなわち位置情報である「静岡県富士市・・・」という情報もあわせてデジタルカメラの液晶ディスプレイの確認画面の下部分に表示されている。この位置情報はＧＰＳ（「全地球測位システム」以下同じ。）の衛星からもたらされるＧＰＳ信号に基づいて映像記録装置内で算出したものである。そして、映像の情報である映像情報と、「静岡県富士市・・・」という位置情報とが関連付けられてこの映像記録装置に記録される。ここで、「位置情報」とは、位置を示すためのすべての情報を含む概念である。したがって、この図の場合には、「静岡県富士市・・・」というもののみならず、「ＧＰＳ信号」そのものを位置情報ととらえてもよい「ＧＰＳ」信号そのものを位置情報と考える場合にはこの映像記録装置であるデジタルカメラでは富士山の映像と、その富士山の映像を撮影した際にＧＰＳ衛星から受信したＧＰＳ信号とが関連付けられて記録される。ＧＰＳ信号のみでは一般の利用者が撮影時の情報として直接的に理解し、利用することが困難である。
【００１０】
そこで、位置情報としてのＧＰＳ信号が映像の情報と関連付けられている場合にはその位置情報をパーソナルコンピュータなどの計算機で利用者が解釈可能な情報、たとえば「静岡県富士市・・・」に変換する。また、パーソナルコンピュータでは比較的計算量が多い処理も可能であるので、単に住所地として「静岡県富士市・・・」として映像と関連付けて記録しておくのみならず、たとえば、静岡県の地図上に撮影時の位置を矢印などで示したものと関連付けて記録しておくことも便利であろう。なお、このように映像記録装置であるデジタルカメラなどにおいて位置情報を記録する際に「ＧＰＳ信号」のまま記録しておくことは計算処理能力の比較的低い映像記録装置である場合には便利である。なぜなら、ＧＰＳ信号を住所情報などに解釈する処理は比較的計算量が多いからである。
【００１１】
図２は、実施形態１の概念を示す他の例である。この図で説明することは映像記録装置の計算処理能力がＧＰＳ信号を住所情報などに解釈するための計算処理能力を有しない場合でもその計算を通信を利用してほかのコンピュータに肩代わりさせる仕組みである。
【００１２】
この図にあるように、富士山の写真を撮影する際に、その撮影場所でＧＰＳ衛星からＧＰＳ信号を受信する。この受信したＧＰＳ信号を、一旦通信を利用してほかの計算機に送信する。ＧＰＳ信号の送信を受けた計算機ではそのＧＰＳ信号に基づいて「静岡県富士市・・・」という位置情報を算出する。そして、「静岡県富士市・・・」という位置情報は通信を介して映像記録装置であるデジタルカメラに送信され、デジタルカメラでは、撮影する富士山の風景の映像情報と「静岡県富士市・・・」という位置情報とを関連付けて記録する。
【００１３】
この処理を行えば映像記録装置であるデジタルカメラに大きな計算の負荷を加えることなく利用者が一見して理解できる位置情報を映像情報とともに記録できるという効果がある。
【００１４】
たとえば、利用者が「静岡県富士市・・・」という位置情報でなく、「静岡県」という位置情報のみでよいと考えると映像記録装置であるデジタルカメラ上で余分な「富士市・・・」の部分を削除する操作を行えばよい。また、同じＧＰＳ信号でも複数の解釈が可能な場合にはそれらの中から映像情報と関連付けて記録すべき位置情報を選択すればよい。たとえば、同じＧＰＳ信号に基づいて、「静岡県富士市・・・」という位置情報と、「静岡県富士川河畔」という位置情報が候補として挙げられる。利用者は、その中から位置情報として「静岡県富士川河畔」の位置情報を選択して映像情報とともに記録する。このようにひとつのＧＰＳ信号から複数の位置情報候補を出すことは映像記録装置であるデジタルカメラにおいて行われてもよいし、ほかの計算機によって行われてもよい。計算量が多いため後者の方法を採用するのが便利であろう。
【００１５】
図３は、本実施形態の映像記録装置の機能ブロックの一例を示す図である。この図にあるように、この映像記録装置０３００は、映像撮影部０３０２と、位置情報取得部０３０１と、映像記録部０３０３とを具備する。
【００１６】
「映像撮影部０３０２」は、映像を撮影するための部分である。「映像」には、静止画、動画の両者が含まれる。映像撮影部０３０２はたとえば、ＣＣＤを含む。「ＣＣＤ」とは「電荷結合素子」を意味する。光を電荷に変え、それを一時蓄積し、バケツ・リレーのような形で転送して電気信号を出力するものである。デジタルカメラやデジタルビデオカメラなどに採用されている。ただし、本発明においてはＣＣＤによって映像を撮影するものに限られず、従来の銀塩フィルムを用いて映像を撮影する映像撮影部０３０２も含まれる。この場合には映像記録はフィルム上に直接行われ、位置情報もフィルム上に直接焼き付けられる。
【００１７】
「位置情報取得部０３０１」は、位置情報を取得する部分である。「位置情報」とは前述のように位置に関する情報のすべてのものを含む概念である
【００１８】
図５は位置情報の概念を示すものである。この図にあるように、「位置情報」には、「ＧＰＳ信号」、「地理情報」、「携帯電話、ＰＨＳの基地局情報」などがある。さらに、「地理情報」には、「経度、緯度情報」、「地名、住所情報」、「地図情報」がある。また、これらに基づいて作られる情報も位置情報である。たとえば、その住所などにある施設、店舗などの名称、その位置にある河川、池、湖、山、渓谷、海岸などの名称、その位置にある道路、交差点、橋、トンネル、港湾、桟橋などの名称なども位置情報に含まれる。
【００１９】
位置情報取得部は、ＧＰＳ衛星や、位置情報を提供するサーバなどから位置情報を取得する。したがって、位置情報取得部は受信機能を有している。ただし、受信は必ずしも無線に限られず、有線での受信であってもよい。有線で受信する場合とはたとえばカーナビゲーションから有線で位置情報を取得する場合や、携帯電話から有線で位置情報を取得する場合である。したがって位置情報取得部の受信の形式は、ＧＰＳ衛星からの受信、インターネット接続網を利用した受信、公衆回線網を利用した受信、ブルートゥースや、ＵＳＢなどを利用した受信など各種の形式のものを採用可能である。
【００２０】
また前述のように、ＧＰＳ信号を受信し、一旦このＧＰＳ信号をたとえば住所情報などに変換するためのサーバに送信し、そのサーバが変換した結果である住所情報などを送り返したものを受信する構成を採用する場合には、この位置情報取得部がこれらの機能を有していてもよい。
【００２１】
「映像記録部」は、前記映像撮影部で撮影された映像の情報である映像情報と前記位置情報取得部で取得した位置情報を対応付けて記録する。対応付けてとは何らかの形で関連付けることをいう。映像情報は各種の形式のものが許容される。たとえば、静止画に関しては、ＪＰＥＧ形式、ＧＩＦ形式、ＢＭＰ形式、ＴＩＦＦ形式、などである。動画では、ＭＰＥＧ方式などである。もちろん銀塩フィルムに記録する形式のものであってもよい。映像情報を電子データで記録する場合には映像記録部には各種の形態の記憶装置が利用できる。ハードディスクドライブ、ＤＲＡＭ、各種ＲＯＭ、ＤＶＤ、ＭＤ、ＩＣカード、ＦＤ、などである。
またこの映像記録部は瞬間的な記録のみを行う一時メモリのようなものであってもよい。たとえば、ニュースなどの中継に利用する映像記録装置であるテレビカメラや、撮影した映像を直ちに無線などで外部に送り出すデジタルカメラなどの映像記録装置などでの一時メモリである。
【００２２】
なお、「映像記録装置」は映像記録専用の機器のみを言うものでなく、携帯電話、カーナビゲーション、ＰＤＡ、ノートブックパソコンなど各種の機能を有する機器と複合したものであってもよいことは言うまでもない。これらの機器との複合化により、映像と位置情報とをさらに多様に応用できる。
【００２３】
図４は、この実施形態の映像記録装置の映像情報と位置情報との対応付けの様子を示すための機能ブロック図の一例である。この図の例では対応付けのためにタイマーを利用している。このタイマーは、現在時刻を出力することが可能である。そして、映像撮影部０４０２によって、映像が撮影されると、その撮影の時刻をタイマーから取得し、映像情報と時刻情報とを関連付ける。一方、位置情報取得部０４０１が取得する位置情報もその取得の際にタイマーからその取得の時刻を取得し、位置情報とその時刻とを関連付ける。映像記録部０４０３で位置情報と映像情報とを対応付けて記録する際には、映像情報と関連付けられた時刻と対応する位置情報をその映像情報と対応付けて記録する。
【００２４】
たとえば、映像撮影部０４０２で撮影された映像情報「Ｐ００１」と関連付けられた時刻が「’０３．１２．０４．１３：０５」すなわち、２００３年１２月４日１３時５分であるとする。そして、位置情報「Ｌ００１」に関連付けられた時刻が同じく「’０３．１２．０４．１３：０５」であるとする。そうすると、映像記録部０４０３で映像情報「Ｐ００１」を記録する際には、時刻「’０３．１２．０４．１３：０５」すなわち、２００３年１２月４日１３時５分の位置情報「Ｌ００１」と対応付けて記録する。この時刻の最小刻みを「分」までとするか、「秒」までとするか、さらにはそれよりも下位の位までとするかは、選択できるようにしてもよいし、映像記録装置０４００の移動速度を位置情報とタイマーとを利用して算出しその移動速度にあわせて選択するようにしてもよい。たとえば、移動速度が小さい場合には時刻は分刻みとし、移動速度が速い場合には時刻を秒刻みとするという具合である。移動速度が速い場合には、撮影された位置が次々に変化するので位置情報も秒刻みなどのテンポで新しい情報を利用すべきだからである。なお、位置情報と映像情報と関連付けられた時刻は必ずしも一致する必要はなく、最も近い時刻の位置情報と映像情報とを対応付ければよい。
【００２５】
図６は、この実施形態の処理の流れの一例を示す図である。まず、映像を撮影し（ステップＳ０６０１）、ついで位置情報を取得し（ステップＳ０６０２）、さらに撮影された映像の情報である映像情報と位置情報とを対応付けて記録し（ステップＳ０６０３）、処理を終了する。
【００２６】
図７は、この実施形態の処理の流れを示す他の例を示す図である。まず、映像を撮影し（ステップＳ０７０１）、ＧＰＳ信号である位置情報を取得する（ステップＳ０７０２）。ついで、撮影された映像の情報である映像情報とＧＰＳ信号（位置情報）とを対応付けて記録する（ステップＳ０７０３）。さらにＧＰＳ信号（位置情報）を地理情報に変換し、映像情報と対応付けて記録する（ステップＳ０７０４）。この処理はたとえばデジタルカメラでＧＰＳ信号を地理情報に変換するすべての処理を行う場合に該当する。
【００２７】
図８は、この実施形態の処理の流れを示す他の例を示す図である。まず、映像を撮影し（ステップＳ０８０１）、ＧＰＳ信号を取得する（ステップＳ０８０２）。ついで、ＧＰＳ信号を送信する（ステップＳ０８０３）。そして、送信したＧＰＳ信号に基づいて返信される位置情報を取得する（ステップＳ０８０４）。
最後に、撮影された映像の情報である映像情報と位置情報とを対応付けて記録する（ステップＳ０８０５）。
【００２８】
＜＜実施形態２＞＞
【００２９】
次に実施形態２について説明する。実施形態２は、実施形態１のものを基本としてさらに補助情報を取得するための外部補助情報取得部を有するものである。
【００３０】
図９は、この実施形態の映像記録装置の機能ブロックの一例を示す図である。
この図にあるように、この映像記録装置０９００は、映像撮影部０９０２と、位置情報取得部０９０１と、映像記録部０９０３とを具備する。そして、さらに外部補助情報取得部０９０４を有する。
【００３１】
「補助情報」とは、たとえば「天候情報」、「地域情報」、「商品・サービス情報」などをいう。そして、この補助情報は映像記録部０９０３で記録される映像情報と適宜関連付けられて記録される。たとえば、天候情報として、位置情報で示される位置における天候の情報がある。撮影した際の天候をその映像情報とともに記録しておくことができる。たとえば、「快晴、風やや強し」などというものである。また地域情報とはたとえば、田子の浦で釣りを」している映像に合わせる「田子の浦：マゴチ釣りの最盛期」などというものである。また、「商品・サービス情報」としてはたとえば、居酒屋の宴会で料理を前にした記念撮影で「本店の名物：マゴチの船盛り」と言う具合である。
【００３２】
＜＜実施形態３＞＞
【００３３】
次に実施形態３について説明する。実施形態３は、実施形態１を基本として、さらに映像情報送信部を有する点に特徴を有する映像記録装置である。
【００３４】
図１０はこの実施形態の映像記録装置の機能ブロックの一例を示す図である。
この映像記録装置１０００は、映像撮影部１００２と、位置情報取得部１００１と、映像記録部１００３とを具備する。さらに映像情報送信部１００４を有している。映像情報送信部１００４は、映像記録部１００３で記録した映像情報と位置情報とを有する位置情報付加映像情報を送信する。この位置情報付加映像情報は、位置情報と映像情報とを対応付けたものなどが該当する。
【００３５】
「映像情報送信部１００４」は、たとえば映像情報処理装置に位置情報付加映像情報を送信する。そして、映像情報処理装置では、位置情報と映像情報とを対応付けて蓄積し、必要に応じて映像情報を位置情報と関連付けて映像化することを可能とする。たとえば、写真の現像センタのようなもののデジタルカメラ版である。この仕組みを採用すると位置情報を利用して比較的多くの計算量を必要とする処理を行い位置情報の付加価値を高めることができる。たとえば、位置情報を加工することでその撮影場所の地図と、その撮影場所に至るまで（またはその後も含めた）の移動履歴と、撮影場所の歴史的資料などの説明資料を映像情報と対応付けて蓄積することなどである。
【００３６】
第二のメリットとしては、映像記録装置で映像情報などを蓄積しなくてもすむので映像記録装置の構成を簡単化することができる点である。たとえば、ＩＣカードを映像記録用に利用するのはＩＣカードが満杯になった際に空のＩＣカードと交換できるからであるが、そのためにはＩＣカードの挿入機構など複雑な機構を採用する必要がある。しかし、映像情報送信部１００４があれば、そのような機構も不要となるので映像記録装置の機構の簡略化が可能となる。これは、信頼性の向上にもつながる。
【００３７】
図１１は、この実施形態の処理の流れを示す図である。この図にあるように、まず、映像を撮影する（ステップＳ１１０１）。そして、位置情報を取得する（ステップＳ１１０２）。そして、撮影された映像の情報である映像情報と位置情報とを対応付けて記録する（ステップＳ１１０３）。最後に、記録した映像情報と、この映像情報と対応付けられた位置情報とを有する位置情報付加映像情報を送信する（ステップＳ１１０４）。なお、ここでは、撮影された映像の情報である映像情報を一旦記録しているが、これは一時メモリなどに記録する場合も含む趣旨である。また、映像情報と、この映像情報と対応付けられた位置情報とを記録することなく直接的に位置情報付加映像情報を送信する処理を採用することも本実施形態の趣旨に沿うものである。
【００３８】
＜＜実施形態４＞＞
【００３９】
次に実施形態４について説明する。実施形態４は、実施形態１のものを基本として、取得した位置情報に基づいて補助情報を選択して記録する映像記録部を有する点に特徴のある映像記録装置である。
【００４０】
図１２に示すのは、この実施形態の映像記録装置である。この図にあるように、この映像記録装置１２００は、映像撮影部１２０２と、位置情報取得部１２０１と、映像記録部１２０３と、さらに補助情報取得部１２０４と、補助情報管理部１２０５とを有する。
【００４１】
「補助情報管理部１２０５」は、位置情報と補助情報を対に管理する。「管理」するとは、適宜補助情報を修正し、追加し、削除して記録しておくことをいう。「補助情報取得部１２０４」は、前記位置情報取得部１２０１で取得した位置情報と対になる補助情報を前記補助情報管理部１２０５から取得する。「前記映像記録部１２０３」は、前記映像撮影部１２０２で撮影した映像の情報である映像情報と前記補助情報取得部１２０４で取得した補助情報を対応付けて記録する。また、さらに外部補助情報取得部を有していてもよい。
【００４２】
図１３に示すのは、補助情報と位置情報とを対にして補助情報管理部において管理している様子を示すものである。たとえば、位置情報として「中華大将軍」という中華料理の店舗名があると、その位置情報と対になって、「満願全席」、「山海珍味」、「海鮮フルコース」、「つばめの巣コース」という具合にメニュー情報である補助情報が管理されている。そして、映像情報と、その映像情報に対応付けられた位置情報と、さらにその位置情報と対応付けられた補助情報の三者が映像記録部において対応付けられて記録されるのである。この補助情報は映像情報に対応付けられた位置情報に基づいて前記補助情報取得部が取得し、映像記録部に渡すことで記録が行われる。なお、図示していないが、この補助情報管理部で管理されている補助情報は、実施形態２で説明した外部補助情報取得部をこの実施形態の映像記録装置に加えることで外部から取得して管理するようにしてもよい。
【００４３】
図１４に示すのは、この実施形態を説明するための概念図である。この図は、中華料理店「中華大将軍」で会食風景をこの映像記録装置で撮影する場合を示す。まず、位置情報として、「中華大将軍」を位置情報取得部が取得する。この位置情報「中華大将軍」と対応付けられてこの店舗で提供される中華料理のメニューが補助情報管理装置に記録されている。たとえば、「満願全席」、「山海珍味」、「海鮮フルコース」、「つばめの巣コース」という具合である。この映像の撮影者は、映像情報記録装置の選択を促す画面にしたがって、会食で利用されているメニューである「海鮮フルコース」を選択する。そうすると、位置情報「中華大将軍」、映像情報としての会食風景、そして、補助情報である「海鮮フルコース」の三者が対応付けられて映像記録部に記録される。なお、このように、位置情報に対応付けられている補助情報は複数の場合もある。その場合にはたとえば映像記録装置が取得する操作命令などに従ってその中から記録されるべき補助情報が選択される。
【００４４】
図１５に示すのは、この実施形態を説明するための他の概念図である。この例では位置情報として「越前海岸」が取得され、その位置情報に応じて補助情報が「天候、快晴」である場合である。天候を知るためには映像記録装置内に固定された補助情報のみでは無理であるので、天候に関する情報を天候情報サーバなどに位置情報の送信とともに要求し、応答内容である「快晴」を補助情報として利用する。なお、この例では、撮影される映像には、位置情報「越前海岸」、補助情報「天候、快晴」のほかに、時刻情報として撮影時刻「６：３８ＡＭ」も合わせて記録される。
【００４５】
図１６は、この実施形態の処理の流れを示す図である。この図にあるように、まず映像を撮影し（ステップＳ１６０１）、ついで位置情報を取得し（ステップＳ１６０２）、さらに位置情報と対になる補助情報を取得し（ステップＳ１６０３）、最後に撮影された映像の情報である映像情報と、位置情報と、補助情報との三者を対応付けて記録する（ステップＳ１６０４）。
【００４６】
図１７は、この実施形態の処理の流れを示す他の図である。この図は、補助情報がたとえばその位置情報で特定される撮影場所の天候情報など映像記録装置外から取得しなければならない場合の補助情報の取得の処理の流れを示すものである。まず、映像記録装置の内部処理などにおいて、補助情報の取得要求があったか判断する（ステップＳ１７０１）。映像記録装置の内部処理に基づく補助情報の要求とは、たとえば映像記録装置であるデジタルカメラのシャッターボタンに軽く指を触れることで生じる。シャッターボタンに軽く触れる場合にはこれから映像の撮影が行われる可能性が高く、事前に補助情報を取得するとその後の処理のために便利だからである。補助情報の取得の要求があったと判断された場合には位置情報を取得する（ステップＳ１７０２）。この位置情報の取得は、前記判断と前後していてもよい。そして、位置情報に対応した補助情報があるか判断する（ステップＳ１７０３）。位置情報に対応した補助情報が映像記録装置内にある場合には対応する補助情報を取得し（ステップＳ１７０４）、ない場合には外部から通信にて位置情報に対応した補助情報を取得する（ステップＳ１７０５）。最後に補助情報を映像記録部に渡し（ステップＳ１７０６）、処理を終了する。
【００４７】
＜＜実施形態５＞＞
【００４８】
次に実施形態５について説明する。実施形態５は、実施形態３の映像記録装置などから位置情報付加映像情報を受信して処理する映像情報処理装置である。
【００４９】
図１８は、この実施形態の映像情報処理装置の機能ブロックの一例を示す図である。この映像情報処理装置１８００は、映像情報受信部１８０１と、補助情報管理部１８０２と、補助情報取得部１８０４と、映像記録部１８０３とを具備する。
【００５０】
「映像情報受信部１８０１」は、実施形態３記載の映像記録装置などから位置情報付加映像情報を受信する。この受信は、各種の媒体を利用することができる。インターネット接続網を利用した受信、公衆回線網を利用した受信、ブルートゥースや、ＵＳＢなどを利用した受信など各種の形式のものを採用可能である。
【００５１】
「補助情報管理部１８０２」は、位置情報と補助情報を対に管理する。「管理」、「対にして」の意義は前述のとおりである。
【００５２】
「補助情報取得部１８０４」は、前記映像情報受信部１８０１が受信した位置情報付加映像情報が有する位置情報と対になる補助情報を前記補助情報管理部１８０２から取得する。
【００５３】
「映像記録部１８０３」は、前記映像情報受信部１８０１が受信した位置情報付加映像情報が有する映像情報と前記補助情報取得部１８０４が取得した補助情報を対応付けて記録する。
【００５４】
図１９は、実施形態３の映像記録装置１９００と本実施形態の映像情報処理装置１９０５とが通信により結ばれ、位置情報付加映像情報が映像記録装置１９００から本実施形態の映像情報処理装置１９０５に渡される様子を示すシステムのブロック図である。このように、実施形態３の映像記録装置１９００から位置情報付加映像情報を通信などによって送信し、実施形態３の構造を簡単化することの利便性はすでに述べたとおりである。
【００５５】
図２０は、この実施形態の処理の流れを示す図である。まず、位置情報付加映像情報を受信したか判断し（ステップＳ２００１）、受信した場合には位置情報付加映像情報が有する位置情報と対になる補助情報を得る（ステップＳ２００２）。そして、位置情報付加映像情報が有する映像情報と、得られた補助情報とを対応付けて記録する（ステップＳ２００３）。この際に、位置情報を対応付けて記録してもよいことは言うまでもない。
【００５６】
＜＜実施形態６＞＞
【００５７】
次に実施形態６について説明する。実施形態６は、実施形態５の映像情報処理装置を基本として、さらに前記映像記録部が記録した映像と補助情報を出力する映像情報出力部を具備する映像情報処理装置である。
【００５８】
図２１は、この実施形態の概念を説明するための図である。たとえば、親子で遊園地などに出かけたとする。そして、遊園地の中で記念撮影する際に、その映像記録装置は位置情報を取得し、その位置情報と関連付けて映像情報を記録する。すなわち位置情報付加映像情報を記録する。そして、その位置情報付加映像情報をプリントセンターなどに設置されている映像情報処理装置に渡す。これは通信を利用してもよいし、記録媒体を利用してもよいし、直接的にデジタルカメラなどを持参してプリントセンターなどにある映像情報処理装置に有線で接続してもよい。そうすると、映像情報処理装置により位置情報に基づいて補助情報と対応付けられた映像情報のプリント、すなわち出力が行われる。
【００５９】
図２２に示すのは、この一例である。映像情報に対して対応付けられたのは、その遊園地のキャラクターを配した写真の縁取り、すなわち、フレームの情報である。このようなフレーム情報はデータが比較的大きいので映像記録装置自体に記憶させておくのは不便である。そこで、このような比較的データの大きな補助情報を映像情報処理装置に記憶させておき適宜利用するようにすればよい。
【００６０】
図２３は、この実施形態の機能ブロックの一例を示す図である。この図にあるように、この映像情報処理装置２３００は、基本的には実施形態５の映像情報処理装置と共通であり、映像情報受信部２３０１と、補助情報管理部２３０２と、補助情報取得部２３０４と、映像記録部２３０３とを具備する。そして、この実施形態のものではさらに、映像情報出力部２３０５を有している点に特徴がある。「出力」とは、プリントするような形態の出力のほかに、電子化したデータを出力するものも含む趣旨である。電子化したデータの出力は、記録媒体を利用して、また通信を利用して行われる。
【００６１】
図２４は、この実施形態の処理の流れを示す図である。この図にあるように、まず、位置情報付加映像情報を受信したか判断し（ステップＳ２４０１）、受信したと判断される場合には、位置情報付加映像情報が有する位置情報と対になる補助情報を得る（ステップＳ２４０２）。さらに、位置情報付加映像情報が有する映像情報と補助情報とを対応付けて記録し（ステップＳ２４０３）、記録された映像情報と補助情報とを出力して（ステップＳ２４０４）、処理を終了する。
【００６２】
＜＜その他の実施形態＞＞
【００６３】
以上は映像記録装置に関して説明したが、この発明は必ずしも映像記録装置に限定されるものでない。一般的な電子機器において応用することで位置情報と、その位置情報に対応付けられた情報とを利用して種々に情報管理をすることができる。したがって、位置情報を取得する位置情報取得部と、前記位置情報取得部で取得した位置情報を送信する位置情報送信部と、前記位置情報送信部から送信された位置情報に関連付けられた補助情報を受信する補助情報受信部と、前記位置情報と前記補助情報とを対応付けて記録する記録部と、を有する電子機器とすれば、便利である。この電子機器の処理は、位置情報を取得する位置情報取得ステップと、前記位置情報取得部で取得した位置情報を送信する位置情報送信ステップと、前記位置情報送信部から送信された位置情報に関連付けられた補助情報を受信する補助情報受信ステップと、前記位置情報と前記補助情報とを対応付けて記録する記録ステップと、からなる。
【００６４】
図２５に示すように、たとえば、電子機器として、画像編集装置を例に挙げることができる。画像編集装置は、実施形態１から４に述べた映像記録装置の映像情報を編集する装置である。さらに具体的にはパーソナルコンピュータなどによって実現される。そして、その位置情報取得部は、編集しようとしている映像情報に対応付けられた位置情報を取得し、その位置情報に関連付けられた補助情報を通信によって取得する。たとえば、編集しようとしている映像情報が富士山の映像であり、位置情報も富士山を示すものである場合には、その電子機器である画像編集装置（たとえば、パーソナルコンピュータ）は、位置情報「富士山」に関連付けられた情報たとえば、「静岡・山梨県境にある日本第一の高さをほこる山。富士火山帯にある典型的な円錐状成層火山で、なだらかで美しい裾野を引き、頂上には深さ２２０メートルほどの火口がある。３７７６メートル。史上たびたび噴火し、最近では１７０７年（宝永４）爆裂した。箱根・伊豆を含んで国立公園に指定。立山・白山と共に日本三霊山の一」を、たとえばインターネットを通じて取得し、富士山の映像情報と関連付けて記録し、映像情報をプリントアウトする場合などにはそのキャプション（小さな説明）としてプリントの枠の部分や、画像の空の部分などに付加すると便利である。
【００６５】
図２６は、この画像編集装置の機能ブロックの一例を示す図である。位置情報を取得する位置情報取得部２６０２と、前記位置情報取得部２６０２で取得した位置情報を送信する位置情報送信部２６０３と、前記位置情報送信部２６０３から送信された位置情報に関連付けられた補助情報を受信する補助情報受信部２６０６と、前記位置情報と前記補助情報とを対応付けて記録する記録部２６０４と、を有する電子機器２６００である。
【００６６】
たとえば、上記電子機器として、腕時計を挙げることができる。腕時計は常時携帯するものであるので、位置情報をその腕時計を利用する人の行動情報と関連付けて記録することができて便利である。「腕時計」は、一般的な腕時計のみならず、本明細書においては、携帯可能な時計の全体を指す。
【００６７】
図２７に示すように、腕時計の応用例に関する構成としては、時刻情報を取得する時刻取得部２７０１と、位置情報を取得する位置情報取得部２７０２と、前記位置情報取得部２７０２で取得した位置情報を送信する位置情報送信部２７０３と、前記位置情報送信部２７０３から送信された位置情報に関連付けられた補助情報を受信する補助情報受信部２７０４と、前記時刻情報と、前記位置情報と、前記補助情報とを対応付けて記録する記録部２７０５と、を有する腕時計２７００が考えられる。このような構成とすることで、人の行動を時刻と、位置情報と、その位置情報に対応付けられた補助情報で記録可能である。
【００６８】
図２８に示すように、たとえば、ある営業マンの一日の行動記録が、時刻と、位置情報である訪問先、そして補助情報としての面談相手の氏名、内容などとして自動的に記録可能となる。補助情報としての面談相手の氏名や、内容は初訪問の際に記録しておけば、次回からは位置情報と対応付けられた情報として記録されるのである。また、時刻は国によって、すなわち世界的に見れば、その位置によって異なるものであるために、その位置に応じて適切な時刻情報を対応付けると便利である。この点は、電子機器として腕時計などが選択される場合のみならず、本発明のすべての実施形態においてタイマー機能を実装可能な場合に適用すると便利である。たとえば、ロンドンの時計台の前での記念撮影には、ロンドンでの時刻をその映像情報とともに記録するという具合である。このロンドンでの時刻は、位置情報に基づいて取得する補助情報から取得しても良いし、この補助情報に基づいてタイマーの時刻を修正する機能を持たせても良い。
【００６９】
また、別の例として、携帯電話の例を上げることができる。携帯電話も常時携帯するものであるので行動記録を記録する電子機器として有望である。また、携帯電話では会話内容を記録することが可能となるが、会話内容と位置情報とを関連付けて記録しておけば会話のあった際の状況を鮮明に再現できるなどの効果がある。
【００７０】
図２９に示すように、携帯電話に本発明を応用すると、その構成は、位置情報を取得する位置情報取得部２９０１と、前記位置情報取得部１９０１で取得した位置情報を送信する位置情報送信部２９０２と、前記位置情報送信部２９０２から送信された位置情報に関連付けられた補助情報を受信する補助情報受信部２９０３と、前記位置情報と前記補助情報とを対応付けて記録する記録部２９０４と、を有する携帯電話２９００である。なお「携帯電話」は、一般に携帯電話と呼ばれているもののほかに、ＰＨＳ、トランシーバーなど携帯可能な通話機器の全体を意味する。
【００７１】
また、これにさらに音声情報を取得する音声情報取得部を加えたものであってもよい。
【００７２】
図３０に示すように、その場合には、音声情報取得部３００１と、位置情報を取得する位置情報取得部３００２と、前記位置情報取得部３００２で取得した位置情報を送信する位置情報送信部３００３と、前記位置情報送信部３００３から送信された位置情報に関連付けられた補助情報を受信する補助情報受信部３００４と、前記音声情報と、前記位置情報と、前記補助情報とを対応付けて記録する記録部３００５と、を有する携帯電話３０００となる。なお、電子機器を携帯電話とした場合には位置情報は、ＧＰＳ情報のみならず、その携帯電話が通信している基地局を識別する情報も容易に利用できるというメリットがある。
【００７３】
電子機器としてほかに有望な応用例がＩＣカードである。なぜならＩＣカードも常時携帯するものだからである。
【００７４】
図３１に示すように、ＩＣカードの構成としては、位置情報を取得する位置情報取得部３１０１と、前記位置情報取得部３１０１で取得した位置情報を送信する位置情報送信部３１０２と、前記位置情報送信部３１０２から送信された位置情報に関連付けられた補助情報を受信する補助情報受信部３１０４と、前記位置情報と前記補助情報とを対応付けて記録する記録部３１０３と、を有するＩＣカード３１００が考えられる。
【００７５】
特に、ＩＣカードが入手金を行う機能を有するものである場合には、入出金と位置情報、補助情報とを対応付けて記録できるので便利である。なぜなら、どこでいくらのお金を使ったか、あるいは入手したかが明確となるからである。また、この情報はＩＣカードを利用する者がたとえばマーケッティングを業とする者に提供し、多数の人間の入出金すなわち購買と行動パターンとを分析するのに有効な資料となる。
【００７６】
図３２に示すように、このＩＣカードの構成としては、入出金情報を取得する入出金情報取得部３２０１と、位置情報を取得する位置情報取得部３２０２と、前記位置情報取得部３２０２で取得した位置情報を送信する位置情報送信部３２０３と、前記位置情報送信部３２０３から送信された位置情報に関連付けられた補助情報を受信する補助情報受信部３２０４と、前記入出金情報と、前記位置情報と、前記補助情報とを対応付けて記録する記録部３２０５と、を有するＩＣカード３２００が考えられる。
【００７７】
なお、本発明にいうところの位置情報には、前述のように位置に関連するすべての種類の情報を含むことが可能であるため、標高、深度はもちろんのこと、技術的に検知可能な種類の電子機器などにおいては、その向き、速度、などのベクトル情報も含む趣旨である。したがって、位置情報とそれに対応付けられる補助情報には、「富士山、七合目」、「富士山、標高３０００メートル」、「霞ヶ関ビル３０階」、「東京駅  地下４階」、「東名高速  東京料金所  名古屋方面口」などが該当する。
【００７８】
また、その他の実施形態にて説明した補助情報は、通信により外部から取得する形式について説明したが、必ずしもすべての補助情報を外部から取得する必要はない。たとえば、携帯型の電子機器にとって記憶させておくことが負担にならない程度の情報量である場合には電子機器に内蔵するメモリに蓄えておいても良い。その場合には、前述の補助情報受信部は、補助情報を内部において取得する機能を果たす。また前述の位置情報送信部も内部において位置情報を送り出す機能を果たす。もちろん、電子機器の内部に位置情報と補助情報とを対応付けて蓄積してある機能部分が必要となる。
【００７９】
【発明の効果】
カメラや、ビデオムービーで撮影した映像を後にプリントしたり、再生したりすることで、その映像を楽しんだり、残された記録として視聴したりする際に、その映像などがどこで撮影されたものか、どのような状況で撮影されたものかが明らかとなる。また、位置情報と補助情報と各種の情報とを結びつけて記録することにより、たとえば、行動記録、会話記録など各種の情報の利用が便利となった。
【図面の簡単な説明】
【図１】実施形態１を説明するための概念図
【図２】実施形態１を説明するための概念図
【図３】実施形態１を説明するための機能ブロック図
【図４】実施形態１を説明するための機能ブロック図
【図５】位置情報の概念を説明するための図
【図６】実施形態１の処理の流れを示す図
【図７】実施形態１の処理の流れを示す図
【図８】実施形態１の処理の流れを示す図
【図９】実施形態２の機能ブロックの一例を示す図
【図１０】実施形態３の機能ブロックの一例を示す図
【図１１】実施形態３の処理の流れを示す図
【図１２】実施形態４の機能ブロックの一例を示す図
【図１３】実施形態４の補助情報管理部の一例を示す図
【図１４】実施形態４の概念を示す図
【図１５】実施形態４の概念を示す図
【図１６】実施形態４の処理の流れを示す図
【図１７】実施形態４の処理の流れを示す図
【図１８】実施形態５の機能ブロックの一例を示す図
【図１９】実施形態５の機能ブロックの一例を示す図
【図２０】実施形態５の処理の流れを示す図
【図２１】実施形態６の概念を説明するための図
【図２２】補助情報の出力の一例を示す図
【図２３】実施形態６の機能ブロックの一例を示す図
【図２４】実施形態６の処理の流れを示す図
【図２５】その他の実施形態の概念を示す図
【図２６】その他の実施形態の電子機器の機能ブロックの一例を示す図
【図２７】その他の実施形態の携帯可能な時計の機能ブロックの一例を示す図
【図２８】その他の実施形態により記録される営業マンの行動記録の概念図
【図２９】その他の実施形態の携帯電話の機能ブロックの一例を示す図
【図３０】その他の実施形態の携帯電話の機能ブロックの一例を示す図
【図３１】その他の実施形態のＩＣカードの機能ブロックの一例を示す図
【図３２】その他の実施形態のＩＣカードの機能ブロックの一例を示す
【符号の説明】
０３００  映像記録装置
０３０１  位置情報取得部
０３０２  映像撮影部
０３０３  映像記録部